(57)【要約】      （修正有）【課題】左右テンプルがフレームに対して１８０度展開することができるテンプル着脱構造を備えたメガネを提供する。【解決手段】メガネは、左右両側にそれぞれ固定部１１が延設され、固定部に４つの取付穴が形成され、上下両側に位置する取付穴を外側穴１３とし、外側穴の間に位置する取付穴を内側穴１４とするフレーム１０と、末端に外爪フック２１及び内爪フック２２が設けられ、内爪フックに内爪先２２１が延設され、外爪フックに外爪先２１１が延設され、外爪先の湾曲方向が内爪先の湾曲方向と反対するテンプル２０と、嵌合溝３２を有する結合部材３０とを有し、フレームの固定部が結合部材の嵌合溝に挿し込まれ、外爪フックが固定部及び結合部材の一側に位置しながら、外爪先が固定部の外側穴に回転自在に係合され、内爪フックが固定部及び結合部材の他側に位置しながら、内爪先が固定部の内側穴に回転自在に係合される。【選択図】図２
0003195225.tif 000002
【実用新案登録請求の範囲】
【請求項１】
左右両側にそれぞれ固定部が湾曲状に延設され、該固定部に少なくとも４つの取付穴が形成され、そのうち上下両側に位置する取付穴を外側穴とし、該外側穴の間に位置する取付穴を内側穴とするフレームと、
末端に２つの外爪フック及び１つの内爪フックが設けられ、該外爪フックが内爪フックの外側に設置され、該内爪フックに内爪先が湾曲状に延設され、該外爪フックに外爪先が湾曲状に延設され、該外爪先の湾曲方向が該内爪先の湾曲方向と反対である、テンプルと、
嵌合溝を有する結合部材とを有し、
前記フレームの固定部が結合部材の嵌合溝に挿し込まれ、前記外爪フックが固定部及び結合部材の一側に位置しながら、外爪先による固定部の外側穴に係合され、前記内爪フックは、固定部及び結合部材の他側に位置しながら、内爪先による固定部の内側穴に係合されることを特徴とする、
テンプル着脱構造を備えたメガネ。
【請求項２】
前記固定部の取付穴が縦方向に排列されることを特徴とする請求項１に記載のテンプル着脱構造を備えた開閉可能なメガネ。
【請求項３】
前記固定部の取付穴が縦方向に排列されず、前記外側穴と内側穴が互いにずれて排列されることを特徴とする請求項１に記載のテンプル着脱構造を備えた開閉可能なメガネ。
【請求項４】
前記固定部の自由端に第一案内溝が凹設されると共に、該固定部にスリットが横方向に形成されることを特徴とする請求項１乃至３の何れか１項に記載のテンプル着脱構造を備えた開閉可能なメガネ。
【請求項５】
前記固定部における、テンプル側の自由端に第一案内溝が凹設され、前記結合部材は、１枚のシートの上側及び下側を内側に相対するように湾曲させてＣ字形の断面を呈するように形成させたものであり、それら上側湾曲部と下側湾曲部との間に収容開口が形成され、該結合部材における、第一案内溝と対応する箇所に第二案内溝が凹設され、前記テンプルの内爪フックは、収容開口と対応するように結合部材に取り付けられ、第一案内溝及び第二案内溝により案内されて枢転できることを特徴とする請求項４に記載のテンプル着脱構造を備えた開閉可能なメガネ。
【考案の詳細な説明】
【技術分野】
【０００１】
本考案は、特に左右のテンプルがフレームに対して１８０度展開可能なメガネに関するものである。
【背景技術】
【０００２】
現在消費者が使用しているメガネは、フレームが、プラスチックや、合金、ステンレス、チタン合金などの素材からなり、該フレームの左右両側にそれぞれテンプルが枢設され、主にボルトやナットの螺合手段によって、テンプルを枢転可能にフレームに枢設している。
【考案の概要】
【考案が解決しようとする課題】
【０００３】
上述したように、既存のメガネでは、テンプルをフレームに装着する時は、ボルトやナットなどの部材を用いると共に、溶接手段も必要であるので、メガネの弾力性に劣る欠点を有する。また、既存のメガネは、ぶつかったり落としたりしてしまうと、その衝撃力を受けてフレームが変形しやすくなると共に、テンプルがずれたりボルトまたはナットが脱落したりしてしまう問題が起きる。
【課題を解決するための手段】
【０００４】
本考案に係るテンプル着脱構造を備えたメガネは、左右両側にそれぞれ固定部が湾曲状に延設され、該固定部に少なくとも４つの取付穴が形成され、そのうち上下両側に位置する取付穴を外側穴とし、該外側穴の間に位置する取付穴を内側穴とするフレームと、末端に２つの外爪フック及び１つの内爪フックが設けられ、該外爪フックが内爪フックの外側に設置され、該内爪フックに内爪先が湾曲状に延設され、該外爪フックに外爪先が湾曲状に延設され、該外爪先の湾曲方向が該内爪先の湾曲方向と反対する、テンプルと、嵌合溝を有する結合部材とを有し、その内、前記フレームの固定部が結合部材の嵌合溝に挿し込まれ、前記外爪フックが固定部及び結合部材の一側に位置しながら、外爪先による固定部の外側穴に係合され、前記内爪フックは、固定部及び結合部材の他側に位置しながら、内爪先による固定部の内側穴に係合されるものである。
【０００５】
かかるテンプル着脱構造を備えたメガネにおいて、前記固定部の取付穴が縦方向に排列されることが好ましい。
【０００６】
かかるテンプル着脱構造を備えたメガネにおいて、前記固定部の取付穴が縦方向に排列されず、前記外側穴と内側穴が互いにずれて排列されることが好ましい。
【０００７】
前記固定部の自由端に第一案内溝が凹設されると共に、該固定部にスリットが横方向に形成されることが好ましい。
【０００８】
かかるテンプル着脱構造を備えたメガネにおいて、前記固定部における、テンプル側の自由端に第一案内溝が凹設され、前記結合部材は、１枚のシートの上側及び下側を内側に相対するように湾曲させてＣ字形の断面を呈するように形成させたものであり、それら上側湾曲部と下側湾曲部との間に収容開口が形成され、該結合部材における、第一案内溝と対応する箇所に第二案内溝が凹設され、前記テンプルの内爪フックは、収容開口と対応するように結合部材に取り付けられ、第一案内溝及び第二案内溝により案内されて枢転できることが好ましい。
【考案の効果】
【０００９】
上述の構造によれば、本考案に係るテンプル着脱構造を備えた開閉可能なメガネは、フレームの固定部に取付穴が形成されると共に、テンプルに弾性に優れた２つの外爪フック及び１つの内爪フックを設けられ、それらの外爪フック及び内爪フックが回転自在に取付穴に係合されることから、螺合手段によりテンプルをフレームに取り付ける必要がなく、かつ、テンプルをフレームに対して外側または内側へ９０度枢転することができる。故に、本考案に係るテンプル着脱構造を備えた開閉可能なメガネにおけるテンプルは、左右両側に大幅に枢転しても復位することができ、メガネに外力が加わっても、フレームが変形したり、レンズが割れたり、ボルトやナットが脱落するなどの問題は発生しない。
【図面の簡単な説明】
【００１０】
【図１】本考案に係るテンプル着脱構造を備えた開閉可能なメガネの第一実施例の部分斜視図である。
【図２】本考案に係るテンプル着脱構造を備えた開閉可能なメガネの第一実施例の部分分解斜視図である。
【図３】本考案に係るテンプル着脱構造を備えた開閉可能なメガネの第一実施例の部分側面図である。
【図４】本考案に係るテンプル着脱構造を備えた開閉可能なメガネの第一実施例において、テンプルを外側へ枢転した状態を示す部分平面断面図である。
【図５】本考案に係るテンプル着脱構造を備えた開閉可能なメガネの第一実施例において、テンプルを内側へ枢転した状態を示す部分平面断面図である。
【図６】本考案に係るテンプル着脱構造を備えた開閉可能なメガネの第二実施例の部分斜視図である。
【図７】本考案に係るテンプル着脱構造を備えた開閉可能なメガネの第二実施例の部分分解斜視図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１及び図２に示すように、本考案に係るテンプル着脱構造を備えた開閉可能なメガネの第一実施例は、フレーム１０と、２本のテンプル２０と、２つの結合部材３０を有する。
【００１３】
前記フレーム１０は、レンズを装着したものでも、していないものでも構わなく、左右両側にそれぞれ固定部１１が湾曲状に延設され、該固定部１１の自由端に第一案内溝１２が凹設され、該固定部１１に少なくとも４つの取付穴が縦方向（即ち、図面に対して上下方向）に排列される。
尚、図面に示す第一実施例の固定部１１は、フレーム１０に対して９０度曲折して延出するものであり、上下両側に位置する２つの取付穴を外側穴１３とし、中央近傍に位置する２つの取付穴を内側穴１４とする。また、前記フレーム１０の固定部１１近傍及び固定部１１にスリット１１１が横方向（即ち、縦方向と垂直する方向）に沿って形成され、該スリット１１１は、直線でもよく、非直線でもよい。
【００１４】
前記テンプル２０は、細長状のプレートであり、弾性を備えるステンレスや、合金、プラスチックなどの同一特性を備える素材からなり、一端に耳に掛けるためのモダンが設けられ、他端に２本のスリット２３が間隔をおいて長手方向に形成される。この２本のスリット２３によって、テンプル２０の他端を３本に区画し、その内、２本の外爪フック２１は間隔をおいて形成され、１本の内爪フック２２は２本の外爪フック２１との間に形成され、かつ、それらの外爪フック２１及び内爪フック２２は優れた弾性を有する。
【００１５】
さらに、前記テンプル２０の他端における、前記固定部１１の取付穴と対応する箇所にそれぞれフックが設けられ、即ち、該テンプル２０における外爪フック２１の先端に外爪先２１１が湾曲状に延設されると共に、内爪フック２２の先端に内爪先２２１が湾曲状に延設され、それらの外爪先２１１及び内爪先２２１は、縦方向に一直線に排列される。
尚、本実施例においては、テンプル２０が、２つの外爪先２１１及び２つの内爪先２２１を備え、それらの外爪先２１１はそれぞれ、外爪フック２１の他端から湾曲状に延設されると共に、それらの内爪先２２１はそれぞれ、内爪フック部２２の他端から湾曲状に延設され、且つ、それらの外爪先２１１の湾曲方向は内爪先２２１の湾曲方向と反対である。
【００１６】
前記結合部材３０は、１枚のシートの上側及び下側を内側に相対するように湾曲させてＣ字形の断面を呈するように形成させたものであり、該シートにおける中央部分と上側湾曲部及び下側湾曲部との間に嵌合溝３２が形成され、上側湾曲部と下側湾曲部との間に収容開口３１が形成される。また、その結合部材３０をフレーム１０及びテンプル２０に組み合わせる時は、フレーム１０の固定部１１を結合部材３０の嵌合溝３２に挿し込むと共に、テンプル２０の内爪フック２２を収容開口３１と対応するように結合部材３０に取り付けられる。さらに、該結合部材３０における、テンプル２０側に第二案内溝３３が凹設される。
【００１７】
図３に示すように、前記テンプル２０の外爪フック２１及び内爪フック２２には優れた弾性を有することから、外爪フック２１は、固定部１１及び結合部材３０の一側に位置しながら、外爪先２１１による固定部１１の外側穴１３に係合され、内爪フック２２は、結合部材３０の収容開口３１と対応するように、固定部１１及び結合部材３０の他側に位置しながら、内爪先２２１による固定部１１の内側穴１４に係合される。その内、固定部１１及び結合部材３０の一側と他側は、反対する側に位置する。
【００１８】
図１、図３、図４に示すように、本考案に係るテンプル着脱構造を備えた開閉可能なメガネが衝撃を受け、テンプル２０がフレーム１０に対して外側へ枢転した時は、内爪フック２２の内爪先２２１が内側穴１４と接触した箇所を枢転中心とするように、外爪フック２１の外爪先２１１が外側穴１３から離脱しながら固定部１１の先端に掛止され、テンプル２０がフレーム１０に対して外側へ９０度枢転する。
一方、図１、図３、図５に示すように、本考案に係るテンプル着脱構造を備えた開閉可能なメガネが衝撃を受け、テンプル２０がフレーム１０に対して内側へずれて枢転した時は、外爪フック２１の外爪先２１１が外側穴１３と接触した箇所を枢転中心とするように、内爪フック２２の内爪先２２１が内側穴１４から離脱しながら、内爪フック２２が第一案内溝１２及び第二案内溝３３により案内されて固定部１１の先端に掛止され、テンプル２０がフレーム１０に対して内側へ９０度枢転する。
この構成によれば、テンプル２０をフレーム１０に対して１８０度枢転させることができる。
【００１９】
図６及び図７に示すように、本考案に係るテンプル着脱構造を備えた開閉可能なメガネの第二実施例は、殆ど第一実施例と同一であるが、フレーム１０Ａの固定部１１Ａが異なる。つまり、本実施例は、フレーム１０Ａと、２本のテンプル２０Ａと、２つの結合部材３０Ａを有し、その内、該フレーム１０Ａの左右両側にそれぞれ固定部１１Ａが延設され、該各固定部１１Ａに少なくとも４つの取付穴が形成され、それらの取付穴が非直線的に排列され、該結合部材３０Ａは、固定部１１Ａに取り付けられる。尚、本実施例においては、固定部１１Ａが４つの取付穴を有し、上下両側に位置する外側穴１３Ａと中央近傍に位置する内側穴１４Ａは縦方向に一直線に排列されることはなく、互いにずれるように排列される。
【００２０】
そのため、テンプル２０Ａにおける、内爪フック２２Ａの内爪先２２１Ａは、内側穴１４Ａと対応するように設けられると共に、外爪フック２１Ａの外爪先２１１Ａは、外側穴１３Ａと対応するように設けられる。つまり、内爪フック２２Ａと外爪フック２１Ａは共に一直線に排列されることはない。
【００２１】
本第二実施例のテンプル着脱構造を備えた開閉可能なメガネは、このような構成を有することから、衝撃を受けて一旦変形したとしても、第一実施例と同様に、テンプル２０Ａがフレーム１０Ａに対して内側または外側へ枢転すると共に、優れた弾性により元の形状に回復することができる。
【符号の説明】
【００２２】
１０、１０Ａ      フレーム
１１、１１Ａ      固定部
１１１            スリット
１２              第一案内溝
１３、１３Ａ      外側穴
１４、１４Ａ      内側穴
２０、２０Ａ      テンプル
２１、２１Ａ      外爪フック
２１１、２１１Ａ  外爪先
２２、２２Ａ      内爪フック
２２１、２２１Ａ  内爪先
２３              スリット
３０、３０Ａ      結合部材
３１              収容開口
３２              嵌合溝
３３              第二案内溝
【図１】
0003195225.tif 000003
【図２】
0003195225.tif 000004
【図３】
0003195225.tif 000005
【図４】
0003195225.tif 000006
【図５】
0003195225.tif 000007
【図６】
0003195225.tif 000008
【図７】
0003195225.tif 000009